(57)【要約】【課題】背もたれを後傾させる弾性部材の反力のフィーリングが良く、背もたれを後傾させる際の反力の調整を容易に行える手段を提供する。【解決手段】背もたれ傾動装置は、脚柱１の上端に取り付けた支持フレーム２に背フレーム４を連結軸５で回動自在に連結し、この連結軸５に引込レバー６を固設している。そして、引込レバー６にリンク７の一端をリンクピン１４で連結するとともに、他端を支持フレーム２の前端側の弾性部材８の軸線に一致させて設けた長孔２ａに摺動可能にスライドピン１６で連結している。このスライドピン１６は弾性部材８の前端側に係止している。また、引込レバー６にリンクピン１４が係止する係止部１１を複数個設け、リンクピン１４を係止させる手動レバー１５を設けて、弾性部材８の初期設定長さを段階的に変更できるようにしている。【選択図】図２
2015092901.tif 000002
【特許請求の範囲】
【請求項１】
脚柱の上端に取り付けた支持フレームに、背フレームを連結軸で回動自在に連結し、該背フレームの後傾に連動して圧縮する弾性部材を該支持フレームに設けた椅子の背もたれ傾動装置において、該連結軸に引込レバーを固設し、該引込レバーにリンクの一端をリンクピンで連結するとともに、リンクの他端を支持フレームの前端側の該弾性部材の軸線に一致させて設けた長孔にスライドピンで摺動可能に連結し、該スライドピンを該弾性部材の前端側に係止したことを特徴とする椅子の背もたれ傾動装置。
【請求項２】
前記弾性部材の初期設定長さを段階的に変えるため、前記引込レバーに前記リンクピンが係止する係止部を複数個設け、前記リンクピンを該係止部のいずれかへ係脱させる手動レバーを設けたことを特徴とする請求項１記載の椅子の背もたれ傾動装置。
【請求項３】
前記背フレームが所定の位置まで後傾したら、前記リンクが当接するストッパを支持フレームに設けたことを特徴とする請求項１または請求項２に記載の椅子の背もたれ傾動装置。
【発明の詳細な説明】
【技術分野】
【０００１】
本発明は、背もたれを弾性部材に抗して後傾し得るように構成した椅子に関するものである。
【背景技術】
【０００２】
オフィス用の椅子では、脚柱の上端に設けた支持フレームに背フレームの下部を連結軸で回動可能に連結し、背もたれを後方に傾動させる抵抗力を圧縮コイルバネに持たせる構成とした（例えば、特許文献１参照）ものが多い。
特許文献１では、図４に示すように、脚３１の上端に取り付けた支持フレーム３２に、背もたれ３３ａを固設した背フレーム３３を連結軸３５で回動自在に取り付けている。
そして、座フレーム３４の前端近くに前軸３４ａを設けて、これを該支持フレーム３２に設けた長孔３２ａに摺動可能に連結し、座フレーム３４の後端近くに後軸３４ｂを設けて、これを該背フレーム３３に連結している。さらに、支持フレーム３２には、後端側を固定し、前端部を前軸３４ａに連結した圧縮コイルバネ３６が、設けられている。
【０００３】
この椅子では、着座者が背もたれ３３ａへもたれると、背フレーム３３が連結軸３５を支点として後傾し、座３４は後部側の後軸３４ｂが下がりつつ後方へ移動し、これに連れて前端側の前軸３４ａが長孔３２ａ内を摺動し、圧縮コイルバネ３６を圧縮する。そして、もたれるのを止めると圧縮コイルバネ３６が伸長し背フレーム３３は前方へ復帰する。
【先行技術文献】
【特許文献】
【０００４】
【特許文献１】特開２０００−１８４９２７号公報
【発明の開示】
【発明が解決しようとする課題】
【０００５】
特許文献１の椅子は、背もたれの後傾装置を少ない部品で構成できるので、軽量かつコンパクトなものにできる。
しかしながら、この構成は、座フレームの前端側を連結した前軸が圧縮コイルバネに作用するようにしているので、弾性力が座を介して背もたれへ伝達され、後傾のフィーリングが損なわれるという問題がある。
また、支持フレーム、背フレーム、座フレーム、コイルバネおよびその支持装置の関係位置が一体的に決められているので、設計上の自由度が大きく制限される。
【０００６】
また、圧縮コイルバネは、背もたれを後傾させたときに負荷される荷重が、軸線上に一致させるように配置することが重要であるが、上記の構成では背フレームの形状や、背フレームの後傾に伴う座の傾斜などの関係から圧縮コイルバネに作用する力を軸線上に一致させることが難しく設計に苦慮する場合が少なくない。
また、背もたれを後傾させる際の抵抗力（付勢力）の強さを調節するための手段を設ける場合は、圧縮コイルばねの前端または後端に、くさび状の押圧部材を前後移動させているが、狭いところで複雑な構成にならざるを得ないという欠点もある。
【０００７】
そこで、本発明は、背もたれを後傾させる弾性部材の反力のフィーリングを良くするとともに、背もたれの弾性部材への荷重が軸線上に必ず一致する設計上の自由度の高い後傾装置を提供すること、また、背もたれを後傾させる際の反力の調整を容易に行える手段を提供することを目的としている。
【課題を解決するための手段】
【０００８】
上記の課題を解決するため、本発明の椅子の背もたれ傾動装置は、次のように構成した。すなわち、脚柱の上端に取り付けた支持フレームに、背フレームを連結軸で回動自在に連結し、該背フレームの後傾に連動して圧縮する弾性部材を該支持フレームに設けた椅子の背もたれ傾動装置において、該連結軸に引込レバーを固設し、該引込レバーにリンクの一端をリンクピンで連結するとともに、リンクの他端を支持フレームの前端側の弾性部材の軸線に一致させて設けた長孔にスライドピンで摺動可能に連結し、該スライドピンを該弾性部材の前端側に係止したことを特徴としている。
【０００９】
本願の椅子の傾動装置は、着座者が背もたれにもたれると、背フレームが連結軸を中心に後傾し、これと連動して引込レバーが後傾し、リンクを後方へ引き込む。これにより、スライドピンが長孔を摺動して弾性部材を軸線方向に圧縮する。
弾性部材は、圧縮コイルバネや弾性ゴムが一般的である。弾性部材は最大に圧縮される状態にすることは好ましくない。そこで、請求項３に記載のように、背フレームが所定の位置まで後傾したら、リンクが当接するストッパを支持フレームに設けるとよい。  なお、座の支持フレームへの取り付け方法については任意であり、適宜のものとすれば良い。  
【００１０】
また、着座者の体格などによって、弾性部材の硬さを調整したい場合は、請求項２に記載したように、引込レバーにリンクピンを係止させる係止部を複数個設け、リンクピンを係止部のいずれかへ係止させる手動レバーを設けて、弾性部材の初期設定長さを段階的に変えれるようにするとよい。
【発明の効果】
【００１１】
本発明の椅子の傾動装置は、背フレームの連結軸に引込レバーを固設し、該引込レバーにリンクの一端をリンクピンで連結するとともに、他端を支持フレームの前端側に設けた弾性部材の軸線に一致する長孔に摺動可能にスライドピンで連結し、該スライドピンを該弾性部材の前端側に係止したので、着座者が背もたれにもたれると、座に関係なく弾性部材に直接作用し、後傾作動のフィーリングが向上する。
また、座の取り付け方如何にかかわらず、弾性部材にかかる力を必ず軸線方向にすることができる。したがって、常に安定した反力が得られる。しかも、座を取り付ける構成は自由に設計できる。
【００１２】
また、弾性部材の硬さを調整する場合は、請求項２に記載のように、引込レバーにリンクピンが係止する係止部を複数個設け、リンクピンを係止させる手動レバーを設ければ、簡便に弾性部材の初期設定長さを段階的に変えることができる。
【図面の簡単な説明】
【００１３】
【図１】本発明の背もたれの傾動装置を備えた椅子の側面図である。
【図２】同、傾動装置の要部の斜視図である。
【図３】同、部品の展開図斜視図である。
【図４】従来の傾動装置の模式図である。
【発明を実施するための形態】
【００１４】
本発明の椅子の背もたれ傾動装置の実施の形態を、オフィス用の椅子を例として図面に基いて、説明する。
図１は、支持フレームより上部側を示す椅子の側面図であり、図２は、図１の背もたれ傾動装置の要部を示す斜視図である。また、図３は、その構成部品を示す分解斜視図である。
【００１５】
この椅子は、脚柱１の上端に支持フレーム２が固設され、これに背もたれ４ａを固設した背フレーム４が連結軸５によって回動可能に取り付けられている。そして、座３ａを固設した座フレーム３が、その前側は、支持フレーム２に設けた前軸１８に摺動可能に連結され、後側は、背フレーム４に設けた後軸１７に連結されている。
【００１６】
連結軸５には、引込レバー６が固設されており、リンクピン１４でリンク７の後端側を連結している。
引込レバー６は、レバー材６ａ、６ｂを継板６ｃで連結したコ字状のもので、レバー材６ａにはリンクピン１４が係合する長孔が設けられている。そいて、レバー材６ｂにはリンクピン１４が係止する係止部６ｅが設けられている。
リンク７は、リンク材７ａ、７ｂを継管７ｃで連結されており、継管７ｃにはスライドピン１６が嵌挿されている。
リンク７の継管７ｃは支持フレーム２の前部側に設けられた長孔２ａに摺動可能に嵌合している。
【００１７】
また、支持フレーム２には、連結軸５の取り付け位置より前側に、弾性部材としての圧縮コイルバネ８が設けられている。圧縮コイルバネ８の後端部は支持フレーム２に固設されたバネ受け１２に支持され、前端部はバネ受け１１に支持されている。
バネ受け１１には、圧縮コイルバネ８に内嵌する中空状のバネ案内部１１ａが設けられており、この中空部にバネ受け１２に設けられた嵌合軸１２ａが嵌挿されるようにしている。また、圧縮コイルバネ８の伸縮に対して嵌合軸１２ａが摺動するように形成されている。
なお、支持フレーム２の長孔２ａは、その中心線が圧縮コイルバネ８の中心線と一致するように設けられている。
【００１８】
また、支持フレーム２の後部側には脚柱１を取付けるための脚取付部２ｃが設けられ、そのあたりに、リンクピン１４が後方へ所定量移動したときに当接する当接部１３ａを備えたストッパ１３が固設されている。
【００１９】
一方、引込レバー６には、取付孔６ｆが設けられ、手動レバー１５が取り付けられている。手動レバー１５には、連結材１５ｂが付設されており、これに、リンクピン１４が手動レバー１５と平行に連結されている。
引込レバー６の係止部６ｅは、４段階に係止されるように、区切りのある溝状に形成されており、手動レバー１５の握り部１５ａを回動させることにより、連結材１５ｂが回動し、これに伴ってリンクピン１４が係止部６ｅの位置を変えることができるようにしている。
【００２０】
次に、このように構成された背もたれ傾動装置の作用について説明する。
着座者が背もたれ４ａにもたれると、背フレーム４が連結軸５を中心として後方へ傾動する。これにより、座フレーム３に連結されている後軸１７が斜め下方に移動するとともに、前軸１８が座フレーム３の長孔３ｂ内を後方へスライドする。
同時に、引込レバー６が時計回りに回動し、リンク７を後方へ引込み、スライドピン１６が長孔２ａ内を後方へ移動し、圧縮コイルバネ８を圧縮する。圧縮させる力の方向は、圧縮コイルバネ８の中心線上に作用するので、曲げ荷重がかからずスムーズで安定した反力が得られる。
なお、着座者が背もたれに強くもたれた場合は、背フレーム４はその荷重の大きさにつれて後傾するが、リンク７が所定の位置まで引き込まれるとリンクピン１４がストッパー１５の当接部１３ａに当接し、停止する。
【００２１】
背もたれの傾動の反力を調整する場合は、着座したまま、手動レバー１５の握り部１５ａを掴んで回動する。これにより、リンクピン１４は溝状の係止部６ｅを段階的に移動する。なお、リンクピン１４が移動するときは、手動レバー１５の回動でリンク７が押し（圧縮コイルバネ８を押込む）込まれる。
係止部６ｅの係止位置の変更により、連結軸５からリンクピン１４までの距離が変わるので、リンク７の引込力が変わり、また、リンク７の継管７ｃの位置が変化して、圧縮コイルバネ８の初期の取付寸法が変化する。したがって、背もたれ傾動の反力の大きさを変化させる。
【００２２】
なお、上記の実施の形態では、弾性部材を圧縮コイルバネで説明したが、弾性ゴムの場合でも、同様である。
また、図１において、２０は、ガススプリングであり、背もたれ４ａの位置を特定の任意の位置に固定したいときに作動させるもので、本願の発明には、関係しないので、説明は省略した。
【符号の説明】
【００２３】
１  脚柱
２  支持フレーム
２ａ  長孔
３  座フレーム
３ａ  座
４  背フレーム
４ａ  背もたれ
５  連結軸
６  引込レバー
６ａ  レバー材
６ｂ  レバー材
６ｃ  継板
６ｄ  長孔
６ｅ  係止部
６ｆ  取付孔
７  リンク
７ａ  リンク材
７ｂ  リンク材
７ｃ  継管
７ｄ  ピン孔
７ｅ  ピン孔    
８  圧縮コイルバネ（弾性部材）
１１  バネ受け
１１ａ  バネ案内部
１１ｂ  ピン受部
１２  バネ受け
１２ａ  嵌合軸
１３  ストッパ
１３ａ  当接部
１４  リンクピン
１５  手動レバー
１５ａ  握り部
１５ｂ  連結材
１６  スライドピン
１７  後軸
１８  前軸
２０  ガススプリング
【図１】
2015092901.tif 000003
【図２】
2015092901.tif 000004
【図３】
2015092901.tif 000005
【図４】
2015092901.tif 000006